(57)【要約】【課題】綺麗に結び目部分を形成させたり、ネクタイ本体の長さ調整を行ったりする操作をしなくても、結び目部分の形状を備え適度な長さをしたネクタイを装着することができ、しかも、結び目部分を一度装着したら、この結び目部分を装着した状態のまま、ネクタイ本体部分のみを自由に着脱することが可能であるネクタイを提供することを目的とする。【解決手段】ネクタイの結び目部分を形成する結び目形成部と、ネクタイの結び目部分から下方に垂れ下がるように配置されるネクタイ本体部と、前記結び目形成部とネクタイ本体部とを着脱自在に接続する接続金具とを備えている構成とした。【選択図】      図１
2005009004.tif 000002
【特許請求の範囲】
【請求項１】
ネクタイの結び目部分を形成する結び目形成部と、ネクタイの結び目部分から下方に垂れ下がるように配置されるネクタイ本体部と、前記結び目形成部とネクタイ本体部とを着脱自在に接続する接続金具とを備えているネクタイ。
【請求項２】
接続金具が、ネジ、磁石、バネ、面ファスナーから選ばれる群の中から少なくとも一種を備えている請求項１に記載のネクタイ。
【発明の詳細な説明】
【０００１】
【発明の属する技術分野】
本発明は、ワイシャツなどに対して容易に着脱自在に装着できるとともに、ファッション性にも優れているネクタイに関する。
【０００２】
【従来の技術】
従来、ネクタイは、一端部から他端部にかけて徐々に幅広となるように形成された一本の細長い帯状をした布からなるものであり、ワイシャツの襟の下に巻き、首・胸の飾りとして用いられている。
上述したネクタイは、先ずワイシャツを着た後、ワイシャツの襟に引っ掛けて両端部をワイシャツの前に垂らし、このワイシャツの前に垂れている部分同士を絡ましてワイシャツの前に結び目を作り、この結び目を襟の前部まで移動させて首を軽く締め付け、ネクタイの幅広部分側を幅の狭い部分側により前に配置させるようにしてワイシャツ前面に装着される。
【０００３】
しかしながら、上述したようなネクタイは、結び目部分を綺麗に整えたり、前記結び目部分から下方に垂れ下がるように配置されるネクタイ本体部分の長さを調整したりする操作にある程度以上の技量を必要とし、また、非常に装着する際手間がかかり面倒であるという問題がある。
特に、初めてネクタイを装着するような者や、手先が不自由な者にとっては、結び目部分を綺麗に形成させたり、ネクタイ本体部分を適度な長さに調整することが難しいという問題があった。
【０００４】
そこで、予め合成樹脂で形成された結び目形状のコアを利用して、このコア部分に沿って結び目布地を取り付けることで結び目を形成するようにしたネクタイが提案されている。（たとえば、特開平８−９３８０６号公報参照）
【特許文献１】特開平８−９３８０６号公報
【０００５】
上記ネクタイは、コア部分に沿わせて結び目布地を折り曲げることで結び目部分を形成することが可能となるため、綺麗に結び目部分を形成することを容易しかも確実に行うことが可能となり、従来の首に巻回させて結び目部分を形成させるネクタイと比べると装着が容易に行うことができると考えられる。
【０００６】
【発明が解決しようとする課題】
しかし、上記ネクタイは、ネクタイの結び目部分を形成する生地と、ネクタイ本体部分を形成する生地とが一体に形成されており分離不可能であるため、ネクタイ全体のデザインを行う上で限度があり、一つの結び目部分に対して複数種類のネクタイ本体部を付け替えることができなかった。
【０００７】
そこで、本発明は、上記問題点に鑑みてなされ、綺麗に結び目部分を形成させたり、ネクタイ本体の長さ調整を行ったりする操作をしなくても、結び目部分の形状を備え適度な長さをしたネクタイを装着することができ、しかも、結び目部分を一度装着したら、この結び目部分を装着した状態のまま、ネクタイ本体部分のみを自由に着脱することが可能であるネクタイを提供することを目的としている。
【０００８】
【課題を解決するための手段】
上記問題を解決するために、本発明の請求項１にかかるネクタイ（以下、「請求項１のネクタイ」と記す。）は、ネクタイの結び目部分を形成する結び目形成部と、ネクタイの結び目部分から下方に垂れ下がるように配置されるネクタイ本体部と、前記結び目形成部とネクタイ本体部とを着脱自在に接続する接続金具とを備えている構成とした。
【０００９】
また、本発明の請求項２にかかるネクタイ（以下、「請求項２のネクタイ」と記す。）は、請求項１のネクタイの構成に加えて、接続金具が、ネジ、磁石、バネ、面ファスナーから選ばれる群の中から少なくとも一種を備えている構成とした。
【００１０】
上記構成において、結び目形成部は、いわゆるネクタイの結び目部分形状を有していれば、その材質としては特に限定されないが、たとえば、樹脂、木、金属などが挙げられる。
このとき、結び目形成部は、一般のネクタイと同様に表面部分が布で覆われている形態をしていても良いが、これに代えて、結び目部分の形状に形成された成型品そのもののみで構成されていても構わない。
【００１１】
さらに、結び目形成部の装飾としては、特に限定されないが、たとえば、模様のついた布などで結び目形成部の表面を覆うようにしたり、刺繍を施したりすることや、金や銀、プラチナなどの貴金属を使用したり、絵や模様を描いたり、彫刻を施したりすることが挙げられる。
【００１２】
ネクタイ本体部は、一般的なネクタイと同様にシルクや綿などの帯布で構成されている形態に限られず、たとえば、樹脂製の可撓性シート、和紙などに代表される紙製シート、皮製シート、木製シートなどで構成されていても構わない。
また、このとき、ネクタイ本体部は、どのような方法で装飾されていてもよく、特に限定されない。
【００１３】
また、接続金具は、結び目形成部とネクタイ本体部との間に介在してこれらを連結接続するのであれば、どのような形態をしていてもよく特に限定されないが、たとえば、請求項２のネクタイのように、接続金具が、ネジ、磁石、バネ、面ファスナーから選ばれる群の中から少なくとも一種を備えている構成をしていると、結び目形成部とネクタイ本体部との接続をより容易かつ確実に行うことができるため好ましい。
【００１４】
【発明の実施の形態】
以下に、本発明の実施の形態を、図面を参照しつつ詳しく説明する。
図１は、本発明にかかるネクタイの一実施の形態を示した斜視図である。
図１に示したようにネクタイ１は、結び目形成部２と、ネクタイ本体部３と、接続金具４とを備えている。
【００１５】
結び目形成部２は、合成樹脂により形成されており、図１、図２（ａ）、（ｂ）に示したように、いわゆるネクタイの結び目部分と同様の形状をしている。
また、結び目形成部２は、図２に示したように、表面がネクタイ本体部３と同等の柄の布地Ｃ１で覆われているとともに、下端に後述する接続金具４の接合突起４１を嵌合させる嵌合穴２１を、裏面に係止片部５を取り付けるための係止突起２２を備えている。
【００１６】
嵌合穴２１は、図２（ａ）および（ｂ）に示したように、接合突起４１の長さと略同じ長さに形成されており、接合突起４１を挿入したとき、接合突起４１の先端部分に臨む部分（以下、「嵌合面」とのみ記す。）２１ａが、磁石と反応する性質を有した金属で構成されている。
係止突起２２は、図２（ｂ）に示したように、結び目形成部２の裏面側から突出しており、先端に傘状の膨らみ２２ａが設けられ、図１に示した係止片部５が取り付けられるようになっている。
【００１７】
ネクタイ本体部３は、図１に示したように、一般的なネクタイの前面用布と同様の形状をしておりシルク地で形成されている。
また、ネクタイ本体部３は、裏面側の上端部分で接続金具４を覆うようにして縫着している。
【００１８】
接続金具４は、図１、図２（ａ）および（ｂ）に示したように、ネクタイ本体部３の上方部分の裏面側に取り付けられ、図１に示したように、ネクタイ本体部３により正面側からは見えないようになっている。
また、接続金具４は、図２（ａ）および（ｂ）に示したように、上端に接合突起４１が設けられている。
【００１９】
接合突起４１は、先端に磁石４１ａが設けられており、結び目形成部２の嵌合穴２１内に挿入したとき、磁石４１ａの磁力により先端部分が嵌合穴２１の嵌合面２１ａに磁着することで、結び目形成部２と、ネクタイ本体部３とを連結させるようになっている。
【００２０】
係止片部５は、図１および図４に示したように、両端部近傍にワイシャツに装着するための係止孔５０と、結び目形成部２への取り付け孔５１とが設けられており、伸縮自在の材質により形成されている。
【００２１】
また、図４の符号６は、ネクタイの内側部分に配置される補助ネクタイ６示している。
補助ネクタイ６は、ワイシャツの襟の中を巻回可能な長さを有しており、図４に示したように、一端に調整ピンを挿入するピンホール６０ａが設けられているとともに、他端に補助ネクタイ本体６ａが形成されている。
【００２２】
また、補助ネクタイ本体６ａの根元部分には、補助ネクタイ６を首周りの長さに合わせるように調整可能な調整用ピンホール６０ｂが複数設けられている。
さらに、補助ネクタイ６の一部には伸縮自在の材質からなる伸縮部６１が設けられている。
【００２３】
以上のような構成をしているネクタイ１は、まず、補助ネクタイ６をワイシャツの襟の内部に沿わせるようにして、首周りに巻回し、その後、ピンホール６０ａおよび、補助ネクタイ６が首周りの長さに合うように選んだ一つの調整用ピンホール６０ｂと係止片部５の係止孔５０との間を調整ピンにて連結保持する。
【００２４】
なお、係止片部５は、予め、伸縮ベルト５ａに設けられている取り付け孔５１に、結び目形成部２の係止突起２２を挿入させることにより、結び目形成部２に取り付けておく。
したがって、上述した操作を行うことにより、補助ネクタイ６および結び目形成部２が装着された状態となり、一見して、通常のネクタイが装着されているのと同様の装着状態となる。
【００２５】
一方、ネクタイ本体部３は、予め、接続金具４が取り付けられた状態にしておく。接続金具４の取り付け方法としては、特に限定されず、ネクタイ本体部３による縫着や、接着剤を用いた接着、その他針金やピンなどの部材を使用した取り付けなど任意に行うことができる。
【００２６】
ネクタイ本体部３を結び目形成部２へ装着するのは、図２に示したように、ネクタイ本体部３に取り付けられている接続金具４の接合突起４１を結び目形成部２の嵌合穴２１に挿入することにより、接合突起４１の磁石４１ａを嵌合穴２１の嵌合面２１ａに磁着させることにより行う。
【００２７】
以上のことより、本発明にかかるネクタイ１は、結び目形成部２が結び目形状をしているため、結び目形成部２を装着するだけで、従来ネクタイを着用する際に煩わしかった結び目を形成させるという操作をする必要がない。
しかも、通常のネクタイと異なり、ネクタイを装着するたびに結び目位置が変わるということがないため、たとえば、結び目形成部２の正面に模様を施したとしても、その模様位置がネクタイを装着するたびにずれることがなくなる。
【００２８】
したがって、ネクタイの結び目形成部２に、たとえば、家紋、社章、校章などの図柄を施すことも可能となり、制服専用のネクタイとして使用することも可能となる。したがって、たとえば、学生や、警察、自衛隊などの公務員や、商社などの会社員や、外国の軍隊などの制服に使用するネクタイとして好適である。
【００２９】
また、ネクタイ本体部３は、接続金具４を介して、接続金具４の磁石４１ａを結び目形成部２の嵌合穴２１の嵌合面２１ａに磁着させるだけで取り付けられ、また、前記磁着させた力よりも強い力で引き離すことにより取り外すことができるため、結び目形成部２が装着されたままで、ネクタイ本体部３のみを取り替えることが可能となり、しかも取り換え操作は片手で容易に行うことができる。
【００３０】
したがって、たとえば、朝と昼にデザインの異なるネクタイ本体３を付け替えたいときであっても、片手で容易にネクタイ本体３を付け替えることができ、しかも、取り付けた状態にあるときは、磁石４１ａと嵌合面２１ａとの間での磁着力により容易に外れたりすることがないため、女性がファッション性を高めるために使用するのに向いている。
【００３１】
なお、本発明にかかるネクタイは、上記実施の形態に限定されるものではない。
たとえば、上記実施の形態では、接続金具４の磁力を利用して結び目形成部２にネクタイ本体部３を装着させるようにしていたが、図３（ｂ）、（ｄ）に示したように、結び目形成部２ｂ、２ｄの嵌合穴に凹凸を形成させ、この凹凸と噛み合うように接合金具４ｂ、４ｄの接合突起を形成させることにより接続を行うようにしても良いし、図３（ａ）に示したように結び目形成部２ａの嵌合穴を押し広げるように接合金具４ａの接合突起を挿入し、押し広げられた嵌合穴が元に戻ろうとする付勢力により接合突起を挟み込ませることで接続を行うようにしても良いし、図３（ｃ）に示したように、結び目形成部２ｃと、接続金具４ｃとの接続手段としてネジ４１ｃを使用して接続を行うようにしても良い。
【００３２】
また、上記実施の形態では、結び目形成部２は、一般的に使用されているネクタイと同様に表面部分にネクタイ生地が張られていたが、表面に生地が張られていない樹脂成型品、木製成型品、金属製の成型品そのもののみで形成されていても構わない。
この場合、結び目形成部の表面部分に絵や模様を描いたり、彫刻を施すなどすることにより、今までになかったネクタイのデザインのバリエーションを広げることが可能となる。
【００３３】
また、結び目形成部を金などの高価な金属や象牙などで形成させたり、金箔で覆ったり、宝石などをちりばめたりして、高級感を出すようにしても良い。
さらに、高級木材を使用して、木目調を生かしたような結び目形成部を使用しても構わない。この場合、結び目形成部の軽量化を図ることが可能となる。
加えて、結び目形成部の内部を空洞化して、この空洞化した部分を小物入れとして利用可能としても構わない。
また、結び目形成部にＧＰＳ（Ｇｌｏｂａｌ  Ｐｏｓｉｔｉｏｎｉｎｇ  Ｓｙｓｔｅｍ）装置を内臓させて、ネクタイ着用者の所在地を認識可能にするようにしても構わない。この場合、子供や要介護者の迷子防止などに役立てることができる。
【００３４】
また、上記実施の形態では、結び目形成部２は、係止片部５を介して、補助ネクタイ６に取り付けるようにしていたが、たとえば、係止孔が設けられたカラーに結び目形成部２を取り付けるようにしても構わない。この場合、カラーを襟内に装着する操作は、補助ネクタイ６を装着する操作よりも容易に行えるため、より容易にネクタイの取り付けを行うことが可能となる。カラーを使用するときは、カラーが襟内を滑らないよう滑り止めを施すことが好ましい。
【００３５】
さらに、上記実施の形態では、ネクタイ本体３が、シルク地で形成されていたが、綿や合成繊維などにより形成されていても良いし、皮や紙により形成されていても良い。この場合、皮でネクタイ本体が形成されていると、ネクタイ本体の表面に絵や模様を描いたり、孔を穿設することで絵や模様を施したりする以外に焼印などにより絵や模様を形成させることが可能となり、紙でネクタイ本体が形成されていると、紙の梳き方により絵や模様を形成させることも可能となる。
【００３６】
また、上記実施の形態では、調整ピンを使用して、補助ネクタイ６と係止片部５を連結保持しているとともに、係止片部５と結び目形成部２との連結保持も調整ピンを使用していたが、調整ピンに代えて、ホックや面ファスナーなどの他の係止部材を使用しても構わない。
【００３７】
【発明の効果】
本発明にかかる請求項１のネクタイは、着用する際にわざわざ結び目を形成させなくても良いため、装着する操作が容易である。また、結び目形成部とネクタイ本体部とが着脱自在となっているため、容易にネクタイ本体部分のみを取り替えることが可能となり、コーディネートする幅が広がる。
また、本発明にかかる請求項２のネクタイは、請求項１のネクタイの効果に加えて、結び目形成部とネクタイ本体部との接続がより容易に行えるようになり、着脱の際の操作性が向上する。
【図面の簡単な説明】
【図１】本発明にかかるネクタイの１実施形態を示した正面図である。
【図２】図１に示したネクタイの結び目形成部とネクタイ本体部との接続状態を説明するための正面図および側面図である。
【図３】図２に示した接続状態と異なる接続状態の態様を示した説明図である。
【図４】図１のネクタイの装着を説明するための分解図である。
【符号の説明】
１        ネクタイ
２        結び目形成部
３        ネクタイ本体部
４        接続金具
５        係止片部
６        補助ネクタイ
【図１】
2005009004.tif 000003
【図２】
2005009004.tif 000004
【図３】
2005009004.tif 000005
【図４】
2005009004.tif 000006